(57)【要約】  所定の数の選択された装置３、５間に通信チャネル１７を確立するための方法。該装置はそれぞれ自身の識別子を持つ。該通信チャネルの確立は、サーバ１を介したペアリングにより実行される。該装置はそれぞれ、ペアリング操作モード及び通信操作モードを持つ。該方法は、該装置のそれぞれを前記ペアリング操作モードに設定するステップと、ペアリング信号１９ａ、１９ｂの選択に同意するステップと、サーバ１に対して自身の識別子及び同意されたペアリング信号１９ａを送信した装置のそれぞれにおいて同意されたペアリング信号１９ａを選択するステップと、所定の時間間隔内に、サーバ１が、該所定の数の選択された装置よりも多い装置が同意されたペアリング信号１９ａ、１９ｂを送信したと決定した場合、該同意するステップ及び該選択するステップを繰り返し、サーバ１が、該所定の数の選択された装置のみがペアリング信号１９ａ、１９ｂの同一のシーケンスを送信したと決定するまで、次のペアリング信号が同意されるステップと、サーバ１により、該装置間に通信チャネル１７を確立するステップと、該装置のそれぞれを該通信操作モードに設定するステップと、を有する。実現される通信チャネルは非常にセキュアである。システムは、サーバ１と所定の数の選択された装置３、５を有し、使用の間、第１の装置３と第２の装置５との間の通信チャネルは、本発明の方法によりサーバ１を介して確立される。
2013517731.tif 000002
【特許請求の範囲】
【請求項１】
所定の数の選択された装置間に通信チャネルを確立するための方法であって、前記装置はそれぞれ自身の識別子を持ち、前記通信チャネルの確立はサーバを介したペアリングにより実行され、前記装置はそれぞれペアリング操作モード及び通信操作モードを持ち、前記方法は、
前記装置のそれぞれを前記ペアリング操作モードに設定するステップと、
ペアリング信号の選択に同意するステップと、
前記サーバに対して自身の識別子及び前記同意されたペアリング信号を送信した装置のそれぞれにおいて前記同意されたペアリング信号を選択するステップと、
所定の時間間隔内に、前記サーバが、前記所定の数の選択された装置よりも多い装置が前記同意されたペアリング信号を送信したと決定した場合、前記同意するステップ及び選択するステップを繰り返し、前記サーバが、前記所定の数の選択された装置のみがペアリング信号の同一のシーケンスを送信したと決定するまで、次のペアリング信号が同意されるステップと、
前記サーバにより、前記装置間に通信チャネルを確立するステップと、
前記装置のそれぞれを前記通信操作モードに設定するステップと、
を有する方法。
【請求項２】
前記選択された装置の前記所定の数は２である、請求項１に記載の所定の数の選択された装置間に通信チャネルを確立するための方法。
【請求項３】
前記ペアリング信号の選択に対する同意は、直接の通信チャネルを介して実行される、請求項１又は２に記載の所定の数の選択された装置間に通信チャネルを確立するための方法
【請求項４】
前記直接の通信チャネルは、電話又はｅメールの通信チャネルを有する、請求項３に記載の所定の数の選択された装置間に通信チャネルを確立するための方法
【請求項５】
前記装置において選択される前記ペアリング信号は、前記サーバにより提供される、請求項１乃至４のいずれか一項に記載の所定の数の選択された装置間に通信チャネルを確立するための方法
【請求項６】
前記ペアリング信号は画像を表現する、請求項１乃至５のいずれか一項に記載の所定の数の選択された装置間に通信チャネルを確立するための方法
【請求項７】
サーバ及び所定の数の選択された装置を有するシステムであって、使用の間、請求項１乃至６のいずれか一項に記載の方法によって、前記サーバを介して前記選択された装置間に通信チャネルが確立されるシステム。
【請求項８】
請求項７に記載のシステムにおける、前記選択された装置の１つとしての使用のために構成された装置。
【請求項９】
請求項７に記載のシステムにおける使用のために構成されたサーバ。
【発明の詳細な説明】
【技術分野】
【０００１】
本発明は、所定の数の選択された装置間に通信チャネルを確立するための方法に関する。
【０００２】
本発明は更に、所定の数の選択された装置間に通信チャネルを確立するためのシステムに関する。本発明はまた、該システムにおける使用のために構成された装置及びサーバに関する。
【背景技術】
【０００３】
サーバを介して２つの装置間で通信を確立するための既知の方法は、一意な識別子を用いることに基づいている。これら装置はそれぞれが、該一意な識別子を入力するためのタッチスクリーン又はキーボードを持つ。通信を確立するため、該２つの装置のそれぞれに同じ一意な識別子が入力され、これら２つの装置のそれぞれが該一意な識別子をサーバに送信する。該サーバが該２つの装置から該一意な識別子を受信すると、該サーバはこれら装置間に通信を確立する。
【発明の概要】
【発明が解決しようとする課題】
【０００４】
該既知の方法は、セキュリティの問題を持つ。該一意な識別子はタッチスクリーン又はキーボードを介して入力されるため、望ましくない第三者が該一意な識別子の入力を見て、該一意な識別子が損なわれるリスクがある。一度損なわれると、該一意な識別子は、これら２つの装置の一方を用いた望ましくない通信を確立するために第三者により使用され得る。
【０００５】
本発明の目的は、上述したセキュリティの問題を解決する方法及びシステムを提供することにある。
【課題を解決するための手段】
【０００６】
本目的は、本発明の一態様において、請求項１に記載の本発明による所定の数の選択された装置間に通信チャネルを確立するための方法によって、達成される。前記装置はそれぞれ自身の識別子を持つ。前記通信チャネルの確立はサーバを介したペアリングにより実行される。前記装置はそれぞれペアリング操作モード及び通信操作モードを持つ。前記方法は、
前記装置のそれぞれを前記ペアリング操作モードに設定するステップと、
ペアリング信号の選択に同意するステップと、
前記サーバに対して自身の識別子及び前記同意されたペアリング信号を送信した装置のそれぞれにおいて前記同意されたペアリング信号を選択するステップと、
所定の時間間隔内に、前記サーバが、前記所定の数の選択された装置よりも多い装置が前記同意されたペアリング信号を送信したと決定した場合、前記同意するステップ及び選択するステップを繰り返し、前記サーバが、前記所定の数の選択された装置のみがペアリング信号の同一のシーケンスを送信したと決定するまで、次のペアリング信号が同意されるステップと、
前記サーバにより、前記装置間に通信チャネルを確立するステップと、
前記装置のそれぞれを前記通信操作モードに設定するステップと、
を有する。
【０００７】
既知の方法とは異なり、本発明による方法は、所定の数の選択された装置間に通信チャネルを確立するために、以上に説明したような比較的貧弱なセキュリティしか提供しない単一の一意な識別子を使用しない。その代わりに、ペアリング信号が同意され、装置間で選択され、これら装置によりサーバへと送信される。該サーバは、所定の時間間隔で、当該ペアリング信号を、選択された装置のそれぞれから受信し、該サーバが、所定の数の装置が同意されたペアリング信号を送信したことを検出すると、該サーバは、これら装置間で接続が確立されるべきであると結論する。この場合、ペアリングは、単一のペアリング信号の後に完了する。次のペアリング信号の同意、及び装置におけるペアリング信号の選択及びサーバへの送信は、サーバが、所定の数の装置がペアリング信号の同一のシーケンスを送信したと決定するまで繰り返される。この場合、ペアリングは、連続的なペアリング信号のセットの後に完了する。従って、単一の一意な識別子を用いる代わりに、単一のペアリング信号又は連続的なペアリング信号のセットが同意され利用される。斯かるペアリング信号又は連続的なペアリング信号のセットは、所定の数の装置が通信チャネルを確立する度に異なり得る。なぜなら、ペアリング信号の選択は毎回、互いに独立して同意されるからである。本発明による方法は、連続的なペアリング信号のセットが可変であり、独立した同意を受けるため、非常にセキュアである。従って、実現される通信チャネルは非常にセキュアである。
【０００８】
該サーバは、数あるなかでも、例えばマイクロプロセッサ又はパーソナルコンピュータのような、適切なソフトウェア即ちプログラムを実行する、電子プロセッサ装置として実装されても良い。
【０００９】
好適な実施例によれば、所定の数の選択される装置は２つであり、即ち第１の装置及び第２の装置である。第１の装置は第１の識別子を持ち、第２の装置は第２の識別子を持つ。本発明による方法の当該変形例は、
前記第１の装置及び前記第２の装置を前記ペアリング操作モードに設定するステップと、
ペアリング信号の選択に同意するステップと、
前記サーバに対して自身の識別子及び前記ペアリング信号を送信した前記第１の装置において前記同意されたペアリング信号を選択し、前記サーバに対して自身の識別子及び前記ペアリング信号を送信した前記第２の装置において前記同意されたペアリング信号を選択するステップと、
所定の時間間隔内に、前記サーバが、２つよりも多い装置が前記同意されたペアリング信号を送信したと決定した場合、前記同意するステップ及び選択するステップを繰り返し、前記サーバが、２つの装置のみがペアリング信号の同一のシーケンスを送信したと決定するまで、次のペアリング信号が同意されるステップと、
前記サーバにより、前記第１の装置と前記第２の装置との間に通信チャネルを確立するステップと、
前記第１の装置及び前記第２の装置を前記通信操作モードに設定するステップと、
を有する。
【００１０】
２つの装置間で通信チャネルを確立することと同様に、本方法は２つよりも多い装置間で通信チャネルを確立するためにも利用され得る。従ってサーバは、特定の所定の数の装置のペアリングをサポートするように適切に構成又はパラメータ化されるべきである。
【００１１】
本発明による方法の一実施例は、ペアリング信号の選択に対する同意は、直接の通信チャネルを介して実行されるという特徴を持つ。例えば、該直接の通信チャネルは、電話又はｅメールの通信チャネルであっても良い。従って、これら装置のユーザは、ペアリング信号のシーケンスに同意するときには電話又は携帯電話を使用することとなる。本実施例の利点は、ペアリング信号に対する同意が、装置が、例えば異なる部屋又は異なる建物にあるといったような、相互に異なる位置にある場合にも、実行され得る点である。
【００１２】
直接の通信チャネルの他の例は興味深い。装置のユーザは例えば、ペアリング信号に同意するときに、市販されているインターネットチャットプログラムの１つを使用しても良い。
【００１３】
本発明による方法の一実施例は、装置において選択されるべきペアリング信号がサーバにより提供されるという特徴を持つ。該サーバは、２つの装置のユーザにペアリング信号のセット（例えば４つの信号）を提供し、装置のユーザがその都度同意し、該同意されたペアリング信号を選択する。
【００１４】
ペアリング信号のセットは、装置自体によって提供されても良い。ユーザは装置のそれぞれにおいてペアリング信号に同意し、該同意したペアリング信号を選択することが可能である必要があるため、ペアリング信号の提供されるセットは、全ての装置上で同一である必要がある。１つの可能性は、全ての装置がペアリング信号の同一の所定のセットを持つことである。
【００１５】
本発明による方法の一実施例は、ペアリング信号が画像を表現するという特徴を持つ。例えば、装置のユーザは、サーバによって又は当該装置によって提供される４枚の画像の１つを選択するように提案される。ユーザは選択すべき画像に同意し、ユーザのそれぞれが当該ユーザが使用する装置において同一の画像を選択する。斯かる実施例の利点は、ユーザが容易に且つ明確に、装置上で選択されるべき画像に同意することができる点である。
【００１６】
本発明の別の態様においては、前記した目的は、請求項７に記載されるシステムにより達成される。本発明によるシステムは、サーバ及び所定の数の選択された装置を有し、使用の間、本発明の方法により、該サーバを介して該選択された装置間に通信チャネルが確立される。本発明によるシステムは、本発明による方法の利点と同様の利点を持つ。
【００１７】
本発明はまた、それぞれ請求項８及び９に記載の前記システムにおける使用のために構成された装置及びサーバに関する。
【００１８】
以下、本発明及び更なる態様が、図面を使用して、例として記載され以下に説明される。
【図面の簡単な説明】
【００１９】
【図１】本発明によるシステムの実施例を模式的に示す。
【発明を実施するための形態】
【００２０】
以下の好適な実施例の説明において、該実施例の一部を形成する添付図面に参照が為される。本発明が実施され得る特定の実施例は、例として以下の説明に示される。本発明の範囲から逸脱することなく、他の実施例も利用され得、構造的な変更も為され得ることは理解されよう。幾つかの実施例において、同一又は類似する部分を示すために、同一の参照記号が使用されることに留意されたい。
【００２１】
図１は、本発明によるシステムの実施例を模式的に示す。第１の装置３と第２の装置５との間に通信チャネル１７を確立するため、該第１の装置を操作する第１のユーザ７は該第１の装置をペアリング操作モードに設定し、第２のユーザ９は該第２の装置をペアリング操作モードに設定する。これら装置は、数あるなかでも、画像プレイヤ、ビデオプレイヤ、チャット装置、音楽プレイヤ、パーソナルコンピュータ、ラップトップ、スマートホン、携帯電話、又はこれらのいずれかの組み合わせであっても良い。これら装置は、通信チャネル１７を確立した後、互いと情報及びコンテンツを交換又は共有することができる。サーバは、第１及び第２の装置の例えばタッチスクリーン又はキーボードのようなユーザインタフェースを介して、同一のペアリング信号１９ａ、１９ｂのセットをユーザ７、９に提供する。ユーザ７、９は、電話１１、１３を用いて互いに対して直接の電話接続１５を確立し、どのペアリング信号を選択するかで同意する。ユーザ間の直接接続の他の例は、ｅメール、インターネットを介したチャット、等である。ユーザ７、９は、装置３、５において同意されたペアリング信号を選択し、これら装置が該ペアリング信号をサーバに送信する。該サーバは、所定の期間内でこれら入力を取得し、幾つの装置が該同意されたペアリング信号を送信するかをチェックする。２つの装置のみが検出された場合、ペアリング処理は終了し、サーバはこれら２つの装置３、５間に通信チャネルを確立する。２つよりも多い装置がサーバにより検出された場合、該サーバは、それぞれ第１及び第２の装置のユーザインタフェースを介して、ユーザ７、９に対して、同一のペアリング信号１９ａ、１９ｂの新たなセットを提供する。同一の選択されたペアリング信号を伴う２つの装置のみが残るまで、上述のステップが繰り返される。該サーバは次いで、これらの装置間に通信が確立されるべきであると結論し、該サーバはこれら２つの装置間に通信チャネルを確立する。通信チャネルが確立されると、セキュアな通信が実現され、装置３、５は、例えばテキストメッセージ、画像、ビデオ、音楽等のような情報及びコンテンツを、互いと安全に交換又は共有することができる。
【００２２】
本発明は図面及び以上の記述において説明され記載されたが、斯かる説明及び記載は説明するもの又は例示的なものであって、限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。請求項において、「有する（comprising）」なる語は他の要素又はステップを除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【符号の説明】
【００２３】
１  サーバ
３  第１の装置
５  第２の装置
７  第１のユーザ
９  第２のユーザ
１１  第１の電話
１３  第２の電話
１５  直接の通信チャネル
１７  通信チャネル
１９  ペアリング信号
【図１】
2013517731.tif 000003
【国際調査報告】
2013517731.tif 000004
2013517731.tif 000005